(57)【要約】【課題】  開口部の機能変更作業を容易にすると共にこの作業後に不要となった内装用引戸の収納場所にも困らない開口部の構造を提供する。【解決手段】  壁６に設けた開口部１の両側部にそれぞれ戸袋部２，３を設ける。開口部１を閉塞可能にする異種の内装用引戸４，５を各戸袋部２，３にそれぞれ収納可能に配設する。一方の内装用引戸４で開口部１を閉塞したときに他方の内装用引戸５を戸袋部３に収納する。【選択図】        図１
2006125046.tif 000002
【特許請求の範囲】
【請求項１】
壁に設けた開口部の両側部にそれぞれ戸袋部を設け、開口部を閉塞可能にする異種の内装用引戸を各戸袋部にそれぞれ収納可能に配設し、一方の内装用引戸で開口部を閉塞したときに他方の内装用引戸を戸袋部に収納したことを特徴とする開口部の構造。
【請求項２】
開口部の両側部位の壁内に戸袋部を形成したことを特徴とする請求項１記載の開口部の構造。
【発明の詳細な説明】
【技術分野】
【０００１】
本発明は、部屋の開口部の構造に関するものである。
【背景技術】
【０００２】
従来から、部屋Ｒの外壁６の開口部１には、図５のように、屋外側から、引違いの硝子戸で構成された外装用引戸（図示せず）、引違いの内障子３０ａで構成された内装用引戸３０が順に配設されている（たとえば特許文献１参照）。ここで、内装用引戸３０に用いられる内障子３０ａは日本古来の建具であってその使用により和室の装飾性を向上できるものの、遮光性能、通風性能、断熱性能などの諸性能は特に優れたものとは言い難い。そして、図５のような開口部１の構造にあって、部屋Ｒの冷暖房の効率向上を図ったり、通風性能の向上を図ったりと開口部１の機能変更を行うには、使用中の内障子３０ａを開口部１から外してたとえば板戸やルーバー扉を取り付け直したりして対処しなければならなく、つまり開口部１の機能変更作業は内装用引戸３０の取替作業となって手間は大きく、且つ、外した内装用引戸３０の収納場所にも困るものであった。
【特許文献１】特開平１０−１０２９１９号公報
【発明の開示】
【発明が解決しようとする課題】
【０００３】
本発明は上記の従来の問題点に鑑みて発明したものであって、開口部の機能変更作業を容易にすると共にこの作業後に不要となった内装用引戸の収納場所にも困らない開口部の構造を提供することを課題とするものである。
【課題を解決するための手段】
【０００４】
上記課題を解決するために本発明の請求項１に係る開口部１の構造は、壁６に設けた開口部１の両側部にそれぞれ戸袋部２，３を設け、開口部１を閉塞可能にする異種の内装用引戸４，５を各戸袋部２，３にそれぞれ収納可能に配設し、一方の内装用引戸４で開口部１を閉塞したときに他方の内装用引戸５を戸袋部３に収納したことを特徴とする。これによると、異種の２種類の内装用引戸４，５のうちから使用者が選択した一方の内装用引戸４によって開口部１を閉塞するように使用できると共に、不使用の他方の内装用引戸５は戸袋部３に収納することができる。つまり、開口部１の機能変更作業は、従来のように開口部１に配置されている内装用引戸３０を取外すという取替作業を行うことはなく、開口部１を閉塞している使用中の内装用引戸５を戸袋部３に収納し（図１中矢印ａ）、戸袋部２に収納している不使用中の内装用引戸４を戸袋部２から開口部１に引き出す（図１中矢印ｂ）といったように、使用中の内装用引戸５に替えて不使用中の内装用引戸４で開口部１を閉塞させるようにすればよいことから、極めて容易に行うことができるのであり、また上記開口部１の機能変更作業によって不要とされた内装用引戸５は開口部１の脇の戸袋部２に収納されるから取替後の内装用引戸５の収納場所も確保できる。
【０００５】
また、請求項２に係る開口部１の構造は、請求項１において、開口部１の両側部位の壁６内に戸袋部２，３を形成したことを特徴とする。これによると、不要の内装用引戸５（４）を見えない状態で壁６内に収納でき、部屋Ｒの景観の向上を図ることができる。
【発明の効果】
【０００６】
本発明は、壁に設けた開口部の両側部にそれぞれ戸袋部を設け、開口部を閉塞可能にする異種の内装用引戸を各戸袋部にそれぞれ収納可能に配設し、一方の内装用引戸で開口部を閉塞したときに他方の内装用引戸を戸袋部に収納したので、開口部の機能変更作業は、従来のように開口部に配置されている内装用引戸を取外す取替作業ではなく、開口部を閉塞している使用中の内装用引戸を戸袋部に収納すると共に戸袋部に収納していた不使用中の内装用引戸をこの戸袋部から開口部に引き出すといったように、使用中の内装用引戸に替えて不使用中の内装用引戸で開口部を閉塞させるようにすればよいことから、極めて容易に行うことができる。また、上記開口部の機能変更作業にて不要となった内装用引戸は開口部の脇の戸袋部に収納されるから作業後に不要とされた内装用引戸の収納場所も確保できる。更に、開口部の両側部位の壁内に戸袋部を形成すると、不要とされた内装用引戸を見えない状態で壁内に収納できるから、部屋の景観の向上を図ることもできる。
【発明を実施するための最良の形態】
【０００７】
部屋Ｒの外壁６には、図１や図２のように、掃き出し窓用の矩形状の開口部１が穿設され、この開口部１には屋外側から、引違いの硝子戸で構成された外装用引戸（図示せず）、内装用引戸４（５）が順に配設されている。つまり、開口部１の屋外側部位には外装用引戸を取付けるための矩形枠状のアルミサッシ（図示せず）が配設されており、開口部１の屋内側部位には内装用引戸４（５）を取付けるための矩形枠状の開口枠部材７が配設されている。本例では、内装用引戸４（５）は連動して開閉が可能な引き違い式の３枚の引戸４ａ（５ａ）で構成されており、開口部１には種類の異なる２セットの内装用引戸４，５が配設されている。そして、開口部１の両側部位の壁内には１セットの内装用引戸４（５）を収納できる戸袋部２，３がそれぞれ配設されている。つまり、各内装用引戸４，５を対応する各戸袋部２，３に収納したときには開口部１全てを開放できるようにされており、２セットの内装用引戸４，５のうちのいずれか１セットの内装用引戸４（５）を戸袋部２（３）から引き出すことで開口部１を閉塞できるようにされている。無論、２セットの内装用引戸４，５の各一部同士を開口部１に引き出して各内装用引戸４，５で開口部１を閉塞するように使用することも可能である。
【０００８】
詳しくは、図２や図３のように、内装用引戸４を取付けるための開口枠部材７は開口部１を介して左右の戸袋部２，３に亙って配設され、開口枠部材７の上横枠７ａ及び下横枠７ｂには内装用引戸４，５を摺動自在に取付けるレール部８が屋内外方向に３条並設され、開口枠部材７の縦枠７ｃは戸袋部２の最奥部に配設されて戸当りとして機能している。上横枠７ａのレール部８は下方に突出した垂下片８ａで形成され、下横枠７ｂのレール部８は上方に突出した立上片８ｂで形成されている。下横枠７ｂのレール部８以外の部位は平坦部９が形成されており、少なくとも部屋Ｒの床面２１と同レベルに平坦部９の上面を位置させて開口部１にバリアフリー構造を備えている。また、戸袋部２（３）は、図２や図４のように、外壁６の外装パネル６ａの屋内側に開口枠部材７を介して目隠しパネル１０を配設して壁内に開口部１に開口する閉空間を形成したことで、形成されている。
【０００９】
また、本例の内装用引戸４（５）を構成する引戸４ａ（５ａ）はその上部框１１の上端面に上横枠７ａの垂下片８ａを挿入する凹条溝１２が凹設されており、下部框１３の下端面に下横枠７ｂの立上片８ｂ上を走行するローラ１４が臨んで設けられている。１セットの内装用引戸４（５）を構成する３枚の引戸４ａ（５ａ）は各引戸４ａ（５ａ）間に設けられた引掛け部１５によって連動して開閉可能にされており、屋外側の引戸４ａ（５ａ）ほどこの内装用引戸４（５）が収納される戸袋部２（３）から離れた開口部１の部位を閉塞できるものとされている。本例では、開口部１には２セットの内装用引戸４，５が配設されているが、各内装用引戸４，５の引戸４ａ，５ａは上記開口枠部材７のレール部８にそれぞれ走行自在に取り付けられている。つまり、開口枠部材７の屋内外方向に並設された各レール部８には、各内装用引戸４，５の対応する引戸４ａ，５ａが１つずつ取付けられているのである。したがって、たとえば他方の内装用引戸５が開口部１を閉塞した状態のときに、一方の内装用引戸４を一方の戸袋部２から引き出して開口部１を閉塞しようとすると、同一の屋外側のレール部８上に位置する一方の内装用引戸４の屋外側の引戸４ａが他方の内装用引戸５の屋外側の引戸５ａに突き合わされて押しやるようにでき、一方の内装用引戸４に連動して他方の内装用引戸５を従動させて他方の戸袋部３に収納させることができるようにされているのである。なお、一方の内装用引戸４を一方の戸袋部２から引き出して開口部１を閉塞したときには、この内装用引戸４の屋内側の引戸４ａの引掛け部１５が戸袋部２の開口に引っ掛かると共に、この内装用引戸４の屋外側の引戸４ａの先端部に設けた連結部１６が対向する他方の戸袋部３に収納された他方の内装用引戸５の屋外側の引戸５ａの先端部に設けた被連結部１７に嵌合されて連結可能にされている。図中１８は開口部１を閉塞した内装用引戸４を施錠して開口部１の防犯性能を向上させるためのクレセントである。詳しくは、このクレセント１８は、内装用引戸４（５）における屋内側の引戸４ａ（５ａ）と中央の引戸４ａ（５ａ）とに取付けられると共に、開口部１に臨む目隠しパネル１０の端部に取付けられている。
【００１０】
また、２セットの内装用引戸４，５は種類の異なる引戸４ａ，５ａを用いる。本例では、たとえば図１のように、一方の内装用引戸４の引戸４ａは障子１９で構成され、他方の内装用引戸５の引戸５ａは通風性能に優れたルーバー戸２０で構成されている。種類の異なる２セットの内装用引戸４の組み合わせパターンは上記に限られるものではなく、一方の内装用引戸４の引戸４ａを網戸、板戸、襖などで構成するなど、様々な組み合わせを採用することができる。
【００１１】
上述した本例の開口部１では、異種の２種類の内装用引戸４，５から使用者が選択した任意の内装用引戸４（５）を戸袋部２（３）から引き出して開口部１を閉塞するようにして使用できるのであり、開口部１の多機能化が図られているのである。このとき不使用の内装用引戸５（４）は壁６内に設けた戸袋部３（２）に見えない状態で収納できるから、不使用の内装用引戸５（４）によって部屋Ｒの景観を損ねることはなくて部屋Ｒの景観の向上が図られているのである。そして、開口部１の多機能化を図るための開口部１の機能変更作業は、開口部１を閉塞している使用中の内装用引戸５を戸袋部３に収納し（図１中矢印ａ）、戸袋部２に収納している不使用中の内装用引戸４を戸袋部２から開口部１に引き出す（図１中矢印ｂ）といったように、使用中の内装用引戸５に替えて不使用中の内装用引戸４で開口部１を閉塞させるようにすればよいことから、容易な作業で行うことができるのである。なお、上記開口部１の機能変更作業にて不要とされた内装用引戸５にあっては開口部１の脇の戸袋部３に収納されるから、取替後の内装用引戸５の収納場所も確保されているのであり、更に言うと、壁６内の戸袋部３に収納された内装用引戸５は部屋Ｒ内に露出されないから、部屋Ｒの景観を損ねることも防止されているのである。また、本例の開口部１では、上述のように同一のレール部８に２種類の内装用引戸４，５の引戸４ａ，５ａが突き合わせ可能に配設されていて、一方の内装用引戸４の開口部１への閉塞動作に連動させて他方の内装用引戸５を戸袋部３へ収納できることから、つまり１つの内装用引戸４（５）の開閉動作によって２つ全ての内装用引戸４，５の開閉動作を行わせることができ、開口部１の機能変更作業を極めて容易な作業で行わせることが可能にされているのである。
【図面の簡単な説明】
【００１２】
【図１】本発明の実施の形態の例を示す部屋の要部の斜視図である。
【図２】（ａ）は同上の部屋の要部の平面図であり、（ｂ）は（ａ）のＡ部分の拡大図である。
【図３】同上の開口部での縦断面図である。
【図４】同上の戸袋部での縦断面図である。
【図５】背景技術の例の部屋の要部の斜視図である。
【符号の説明】
【００１３】
１  開口部
２  戸袋部
３  戸袋部
４  内装用引戸
５  内装用引戸
６  外壁
【図１】
2006125046.tif 000003
【図２】
2006125046.tif 000004
【図３】
2006125046.tif 000005
【図４】
2006125046.tif 000006
【図５】
2006125046.tif 000007